(57)【要約】      （修正有）【課題】ＰＣＣＳ表色系におけるトーン別の明度を１枚のチャートに表し、このチャートを参照することによって、配色に関する理解、学習、技術の取得、実践を効率的に可能とするトーン別明度差チャートを提供する。【解決手段】ＰＣＣＳ表色系におけるトーン別の明度差を表したチャートであって、縦軸に明度を設定し、その縦軸を低明度、中明度、高明度の３区分に分け、さらに各区分を３分割して全体として９段階を設定し、横軸に彩度を設定し、その横軸を低彩度、中彩度、高彩度の３区分に分け、さらに各区分を３分割して全体として９段階を設定し、縦軸と横軸によって表される座標上に、各トーンの色相環を楕円または円にて表し、前記色相環は、黄色と青紫を結ぶ線を垂直軸とし、そして、赤と青緑を結ぶ線を水平軸として、両者の交点を中心として表示した。【選択図】図１
2009115903.tif 000002
【特許請求の範囲】
【請求項１】
ＰＣＣＳ表色系におけるトーン別の明度差を表したチャートであって、
縦軸または横軸の一方に、明度の指標を設定し、
前記縦軸または横軸の他方軸に彩度の指標を設定し、
前記縦軸及び横軸によって構成される座標上にトーン別の色相環を表したことを特徴とするトーン別明度差チャート。
【請求項２】
縦軸に明度を設定し、その縦軸を低明度、中明度、高明度の３区分に分け、さらに各区分を３分割して全体として９段階を設定し、
横軸に彩度を設定し、その横軸を低彩度、中彩度、高彩度の３区分に分け、さらに各区分を３分割して全体として９段階を設定し、
縦軸と横軸によって表される座標上に、各トーンの色相環を楕円または円にて表し、
前記色相環は、黄色と青紫を結ぶ線を垂直軸とし、そして、赤と青緑を結ぶ線を水平軸として、両者の交点を中心として表示したことを特徴とする請求項１記載のトーン別明度差チャート。
【請求項３】
前記チャートは垂直軸の長さ及び、その垂直軸に占める水平軸の通過位置を明記したことを特徴とする請求項２記載のトーン別明度差チャート。
【請求項４】
座標上にＰＣＣＳ表色系における特殊な色であるピンク、フラッシュ、ブラウン、オフニュートラルの明度差を表したことを特徴とする請求項１〜３いずれか記載のトーン別明度差チャート。
【発明の詳細な説明】
【技術分野】
【０００１】
本発明はトーン別明度差チャートに関し、特にＰＣＣＳ表色系におけるトーン別の明度を１枚のチャートに表し、このチャートを参照することによって、配色に関する理解、学習、技術の取得、実践を効率的に可能とするトーン別明度差チャートに関する。
【背景技術】
【０００２】
従来、色空間の表現方法には、ＲＧＢ表色系やＣＭＹ表色系、オストワルド表色系の物理的な色の表現形式があり、また、マンセル表色系やＰＣＣＳ表色系のようにファッションやインテリア等のコーディネイトに適した表色系がある。
これらの表色系の知識に基づき、インテリア、ファッション等の配色が検討されることになるが、例えば、インテリアに用いる配色は、色どうしの調和の他、立体的な空間においてみて、いかに心地よく快適に過ごせるかという視点等で検討がなされる。
これらの、配色に関する知識、技術の取得には、課題に応じた実技練習（配色作成）が不可欠であり、専門家や先生から評価、指導を受けるという、主に所謂対人学習によりなされている。
また一方で、配色の学習に関する技術として特開平１０−１０９６４号公報記載の技術が知られている。
【特許文献１】特開平１０−１０９６４号公報
【発明の開示】
【発明が解決しようとする課題】
【０００３】
しかしながら、配色を施すにあたって、統一の調和や変化の調和等の配色の方向性が必要とされ、この配色は色相、彩度、明度、トーン等の要素が交錯して作り出されるものであることから、一定の基礎知識あるいは技術が必要とされる。そしてこれらの知識や技術を取得するまでには、暗記事項も多く、長期間を要するという問題があった。
本発明は係る従来の問題点を解決するためになされたものであって、その目的とするところは、ＰＣＣＳ表色系におけるトーン別の明度を１枚のチャートに表し、このチャートを参照することによって、配色に関する理解、学習、技術の取得、実践を効率的に可能とするトーン別明度差チャートを提供することにある。
【課題を解決するための手段】
【０００４】
前記目的を達成するための手段として、請求項１記載のトーン別明度差チャートでは、ＰＣＣＳ表色系におけるトーン別の明度差を表したチャートであって、縦軸または横軸の一方に、明度の指標を設定し、前記縦軸または横軸の他方軸に彩度の指標を設定し、前記縦軸及び横軸によって構成される座標上にトーン別の色相環を表したことを特徴とする。
【０００５】
請求項２記載のトーン別明度差チャートでは、請求項１記載にトーン別明度差チャートにおいて、縦軸に明度を設定し、その縦軸を低明度、中明度、高明度の３区分に分け、さらに各区分を３分割して全体として９段階を設定し、横軸に彩度を設定し、その横軸を低彩度、中彩度、高彩度の３区分に分け、さらに各区分を３分割して全体として９段階を設定し、縦軸と横軸によって表される座標上に、各トーンの色相環を楕円または円にて表し、前記色相環は、黄色と青紫を結ぶ線を垂直軸とし、そして、赤と青緑を結ぶ線を水平軸として、両者の交点を中心として表示したことを特徴とする。
【０００６】
請求項３記載のトーン別明度差チャートでは、請求項２記載のトーン別明度差チャートにおいて、前記チャートは垂直軸の長さ及び、その垂直軸に占める水平軸の通過位置を明記したことを特徴とする。
【０００７】
請求項４記載のトーン別明度差チャートでは、請求項１〜３いずれか記載のトーン別明度差チャートにおいて、座標上にＰＣＣＳ表色系における特殊な色であるピンク、フラッシュ、ブラウン、オフニュートラルの明度差を表したことを特徴とする。
【発明の効果】
【０００８】
前記構成を採用したことにより、本発明では次の効果を有する。
縦軸と横軸によって構成される座標上にトーン別の色相環を表したので、ＰＣＣＳ表色系におけるトーン別の明度差が一目瞭然となる。
従来では、数枚の図または表を参照しなければ、トーン別の色相の明度を導くことができなかったが、本発明では、トーン別明度差チャート１枚を参照あるいは記憶しておけば、色相の明度を導き出すことができる。
また、縦軸を低明度、中明度、高明度の３区分に分け、さらに各区分を３分割して全体として９段階を設定し、横軸を低彩度、中彩度、高彩度の３区分に分け、さらに各区分を３分割して全体として９段階を設定したので、明度と彩度が均等に分割された座標が形成され、イメージ的に理解しやすく、暗記しやすい構図となる。
そして、色相環は、黄色と青紫を結ぶ線を垂直軸とし、そして、赤と青緑を結ぶ線を水平軸として、両者の交点を中心として表示したので、円弧に占める色相の位置、補色の位置が明確に示される。
さらに、チャートは垂直軸の長さ及び、その垂直軸に占める水平軸の通過位置を明記したので、この数値を記憶しておけば、楕円の位置が判るため、チャート全体を容易に記憶、再現することができる。
また、ＰＣＣＳ表色系における特殊な色についての明度差を表示したので、代表的な利用頻度の高いピンク、フラッシュ、ブラウン、オフニュートラルについての明度差が明らかとなる。
【発明を実施するための最良の形態】
【０００９】
以下、図面に基づいて本発明を実現する最良の形態を説明する。
ＰＣＣＳ（Practical Color Co-ordinate System：日本色研配色体系）は，色の調和の問題をシステマティックに解決することを主な目的として，財団法人日本色彩研究所が１９６４年に発表したカラーシステムである。前記ＰＣＣＳは，色の３属性を骨組みにし，色相とトーンによる２次元のシステム（Hue & Tone System）である点を特徴とする。前記ＰＣＣＳにおける前記色相は，図２に示すように，２４種類の色相番号が環状に構成された色相環によって表される。前記各色相番号は，前記色相それぞれを特定する番号であり，各色相番号に対応した色相名が付されている。前記色相番号の「８」，「１６」，「２４」は，各々色材の３原色「イエロー」，「シアン」，「マゼンタ」に相当し，同様に「３」，「１２」，「１９」は，光の３原色に相当する。
【００１０】
前記ＰＣＣＳにおける前記トーンは、図３に示すように、縦軸に低明度、中明度、高明度が示されてそれぞれが３区分されて、合計９段階に分類されている。横軸には彩度が示されている。そして有彩色の１２種類（ｐ，ｌｔｇ等）が分類され、その各々を特定するトーン記号（「ｖ」，「ｌｔｇ」等）が定められている。色を表す場合，前記トーン記号と前記色相番号とを合わせた形で表現する。例えば，前記トーン記号が「ｖ」，前記色相番号が「２」の場合，前記色は，「ｖ２」（ビビッドレッド）というように表される。
【００１１】
ところで、普通の生活で色を言葉で表したり、記憶したり、また配色を考えるときは「薄い色」「濃い色」「明るい色」「暗い色」「鮮やかな色」「灰みの色」のように、「こんなふうな色」といったような、漠然とした捕らえ方をしている。このような印象やイメージを表すには、その色と全く同じでなくても、明度や彩度が似た色であれば、同様な効果がある。
このような同じような印象やイメージをもつ明度・彩度の領域をまとめて、ＰＣＣＳではでは「トーン」と呼んでいる。
トーンは「明度と彩度を複合して捕らえた概念」であるが、ＰＣＣＳではそれぞれのトーンの明度・彩度の領域を区分し、有彩色１２分類、無彩色５分類になっている。
トーンの明度・彩度の位置には特徴があり、各トーンは、基準色である「ビビット（鮮やかな色）」に対する相対的な明度・彩度関係（「より明るい」「より暗い」など）で位置づけられる。
図３はこのトーンの彩度と明度における分類を表している。
【００１２】
図３におけるトーン別の明度を表したものが図４〜図６である。
図４では、ブライトトーン、ビビットトーン、ディープトーンの色相の明度差が折れ線グラフで示されている。
各グラフは１（紫みの赤）から２４（赤紫）の色相についての明度の移り変わりを表している。そして、いずれのグラフも８（黄色）の色相の明度が一番高く、２０（青紫）の明度が一番低くなっている。
また、前記と同様に図５では、ライトトーン、ソフトトーン、ダルトーン、ダークトーンの色相の明度の移り変わりが示されている。そして、図６も同様に、ペールトーン、ライトグレイッシュトーン、グレイッシュトーン、ダークグレイッシュトーンの色相の明度の移り変わりが示されている。
【実施例１】
【００１３】
前記ＰＣＣＳ表色系の原理を踏まえ、各彩度に分類されるトーン別の明度差を理解しやすくまとまた表が図１のチャートである。
本発明のトーン別明度差チャートは、図１に示すように、縦軸に明度を、横軸に彩度を設定し、その縦軸と横軸によって構成される座標上にトーン別の色相環を展開している。
前記縦軸は低明度、中明度、高明度の３区分に分け、その区分をさらに３分割して全体として９段階を設定している。
前記横軸は低彩度、中彩度、高彩度の３区分に分け、その区分をさらに３分割して全体として９段階を設定している。
【００１４】
前記座標上には、各トーンの色相環を縦長の楕円または円で示している。
前記色相環は図２で説明したものと同一の色相が楕円に連続したものであり、各色相環の頂点には８（黄色）が位置し、下点には２０（青紫）が位置する。
また、頂点と下点を結ぶ線が垂直軸であり、その軸に交差するのが水平軸であり、両者の交点を中心として表示している。前記水平軸の左右には、２（赤）と１４（青緑）が位置する。
図１の色相環は図４〜図６の各トーンの折れ線グラフに基づいて、その明度の変化を楕円で表示したものであり、それぞれの色相環は垂直軸を中心として左右対称とされている。これは、図４〜図６の各トーンの折れ線グラフに相応した形状である。
環状ライン上には図２の色相順に色が連続し、環状ライン上には黒丸で色の位置がサンプル表示されているが、黒丸の表示されていない部位にも図２の色相順に色が存在する。
また、前述したとおり、図１の色相環は図４〜図６の各トーンの折れ線グラフに基づいて、その明度の変化を楕円で表示したものであるため、図１では、ｖ（ビビットトーン）の頂点（黄色）の明度は８であるが、これは図４において、ビビットトーンのｖ８（黄色）が明度８の位置に表されていることと符合する。
また、円の中心に対して向かい合わせにある色相を補色といい、例えば８（黄色）と２０（青紫）は補色の関係にあり、また、２（赤）と１４（青緑）は補色の関係にある。
【００１５】
前記チャートでは図３中のストロングトーンを除いた１１のトーンの色相環が配置されている。
以下、それぞれのトーンの位置を説明すると、
（１）ｌｔｇ（ライトグレイッシュトーン）は彩度２ｓ、明度６．５〜７．５の座標上に位置している。
（２）ｇ（グレイッシュトーン）は彩度２ｓ、明度３．５〜４．５の座標上に位置している。
（３）ｄｋｇ（ダークグレイッシュトーン）は彩度２ｓ、明度１．５〜２．５の座標上に位置している。
（４）ｐ＋（ペールトーン）は彩度３ｓ、明度７．５〜９．０の座標上に位置している。
（５）ｓｔ（ソフトトーン）は彩度５ｓ、明度５．０〜７．５の座標上に位置している。
（６）ｄ（ダルトーン）は彩度５ｓ、明度３．５〜６．０の座標上に位置している。
（７）ｄｋ（ダークトーン）は彩度５ｓ、明度２．０〜４．０の座標上に位置している。
（８）ｌｔ＋（ライトトーン）は彩度６ｓ、明度６．０〜８．５の座標上に位置している。
（９）ｂ（ブライトトーン）は彩度８ｓ、明度５．０〜８．５の座標上に位置している。
（10）ｄｐ（ディープトーン）は彩度８ｓ、明度２．５〜６．０の座標上に位置している。
（11）ｖ（ビビットトーン）は彩度９ｓ、明度３．５〜８．０の座標上に位置している。
前記（１）〜（11)の座標上の位置は、図２〜６のＰＣＣＳの基準に符合する。
【００１６】
座標の上側の欄外には数値が記載されているが、この数値は楕円または円の形状を示している。
この数値の説明は次のとおりである。
（１）９ｓの欄に記載されている４．５［１］は、ｖ（ビビットトーン）の楕円の垂直軸が４．５の長さであり、垂直軸の下点から１の位置に水平軸が通過することを示している。
（２）８ｓの欄に記載されている３．５［１］は、ｂ（ブライトトーン）とｄｐ（ディープトーン）の垂直軸が３．５の長さであり、垂直軸の下点から１の位置に水平軸が通過することを示している。
（３）６ｓの欄に記載されている２．５［１］は、ｌｔ＋（ライトトーン）の垂直軸が２．５の長さであり、垂直軸の下点から１の位置に水平軸が通過することを示している。
（４）５ｓの欄に記載されている２．５［１］は、ｓｔ（ソフトトーン）とｄ（ダルトーン）の垂直軸が２．５の長さであり、垂直軸の下点から１の位置に水平軸が通過することを示している。
（５）５ｓの欄に記載されている２．０［０．５］は、ｄｋ（ダークトーン）の垂直軸が２．０の長さであり、垂直軸の下点から０．５の位置に水平軸が通過することを示している。
（６）３ｓの欄に記載されている１．５［０．５］は、ｐ＋（ペールトーン）の垂直軸が１．５の長さであり、垂直軸の下点から０．５の位置に水平軸が通過することを示している。
（７）２ｓの欄に記載されている１．０［０．５］は、ｌｔｇ（ライトグレイッシュトーン）とｇ（グレイッシュトーン）とｄｋｇ（ダークグレイッシュトーン）の垂直軸が１．０の長さであり、垂直軸の下点から０．５の位置に水平軸が通過することを示している。
【００１７】
この楕円の長さと中心がわかれば、各色相の相対的位置が判明する。
つまり、円周上における、８（黄色）、２０（青紫）、２（赤）、１４（青緑）の４つの色相の位置が決定されるわけであるから、その他の色相はそれらの相対的関係から位置が特定されることになる。
また、中心が判明することにより、対称位置にある補色の位置もわかる。
【００１８】
本発明のトーン別明度差チャートの使用方法としては、次の（１）〜（４）の問いに対する答えを導く場合等に使用する。
（１）明るい灰みの赤の明度はいくらか？
i）ＰＣＣＳによると、「明るい灰みの」からｌｔｇと判断される。
ii）「赤」から２番と判断される。
以上から、図１においてｌｔｇ２をさがすと、Ａの位置、つまり明度７であることがわかる。
【００１９】
（２）無彩色Ｇｙ７．５に対して、明度差３、彩度差５で補色色相の関係になる配色は何か？
i）無彩色Ｇｙ−７．５に対して「明度差３」の条件から、Ｇｙ−４．５の行をさがす。
ii）無彩色Ｇｙ−７．５に対して「彩度差５」の条件から、５ｓの列をさがす。
以上の行と列が交叉する部分にはｄの楕円のうちｄ２が位置する。そして、ｄ２と補色関係にあるのはｄ１４である。
よって、無彩色Ｇｙ−７．５に対して、明度差３、彩度差５で補色色相の関係になる配色はｄ２とｄ１４であることがわかる。
【００２０】
（３）住宅地の環境構成要素の樹木の緑の色に相当する、色相１０、明度４．０〜６．０、彩度１．０〜７．０の条件を充たす配色は何か？
i）色相１０、明度４．０〜６．０の条件からｇ１０とｄ１０が特定される。
ii）色相１０、彩度１．０〜７．０の条件もｇ１０とｄ１０は充たしている。
よって、住宅地の環境構成要素の樹木の緑の色に相当する、色相１０、明度４．０〜６．０、彩度１．０〜７．０の条件を満たす配色はｇ１０とｄ１０であることがわかる。
【００２１】
（４）住宅地の環境構成要素のコンクリートの色に相当する、色相８，明度３．５〜６．０、彩度１．０〜２．５の条件を充たす配色は何か？
i）彩度１．０〜２．５の条件から、ｌｔｇ、ｇ、ｄｋｇが特定される。
ii）前記のうち明度３．５〜６．０を充たすのはｇ８である。
よって、住宅地の環境構成要素のコンクリートの色に相当する、色相８，明度３．５〜６．０、彩度１．０〜２．５の条件を充たす配色はｇ８であることがわかる。
【００２２】
前記（１）〜（４）の問いに対する答えを導く場合は、従来では図３〜６の表を参照しなければならなかった。図３〜６の表はグラフが複雑に交錯しているため、それらのグラフから特定の明度を導き出すことは非常に難しい作業となっていたが、本発明のトーン別明度差チャートを使用することにより、容易に答えを導くことができる。
また、図３〜図６の表を全て暗記することは極めて困難であるが、図１のトーン別明度差チャートを覚えることは比較的容易である。すなわち、図１のトーン別明度差チャートを覚えることにより、トーン別の明度差を特定する上において、図３〜６のグラフを覚えたのと同様の意味がある。
【００２３】
次に、ＰＣＣＳ表色系では、図２に示すように有彩色の基本色名として２４種の「色相名」が決められているが、ピンク、ブラウン、オリーブなどは使用しない。例えば、ピンクは「うすい赤」あるいは、「赤みの紫〜赤みの橙」となる。
これらは特殊な時に使う色と呼ばれ、この特殊な色のうち、代表的なものとして、本発明では４種の「ピンク（ＰＩ）」「フレッシュ（ＦＬ）」「ブラウン（ＢＲ）」「オフニュートラル（ｏｆｆＮ）」を挙げている。
前記４種の特殊な色は図７〜図１０に示すように、段階的に番号が付されて分類され、各番号に対応するＰＣＣＳ参考値が存在する。
例えば「ＰＩ−１」は、ＰＣＣＳ表色系のｌｔ２４と同程度の明度であり（図７参照）、また、「ＢＲ−１」は、ＰＣＣＳ表色系のｇ３と同程度の明度である（図８参照）。
【００２４】
図７〜図１０に示す対応参考値に基づき縦軸上に分類したものが、図１におけるトーン別明度差チャートである。
（１）７ｓの列では、ピンクの明度差が表され、上端の「ＰＩ−９」が明度８．０、下端の「ＰＩ−４」と「ＰＩ−８」が明度５．５であることを示している。
（２）４ｓの列では、フレッシュの明度差が表され、上端の「ＦＬ−１」と「ＦＬ−４」が明度８．０、下端の「ＦＬ−３」と「ＦＬ−６」が明度６．０であることを示している。
（３）同様に４ｓの列では、ブラウンの明度差が表され、上端の「ＢＲ−４」が明度５．０、下端の「ＢＲ−５」が明度２．０であることを示している。
（４）１ｓの列では、オフニュートラルの明度差が表され、上端の「ｏｆｆＮ１〜５」が明度９．０、下端の「ｏｆｆＮ１１〜１５」が明度６．５であることを示している。
【００２５】
前記特殊な色の分類は、１ｓ、４ｓ、７ｓの列に示されているが、これは空欄を利用して配置したものであるので、彩度には対応していない。従って、明度のみとの関係を示している。
また、特殊な色の分類においては、図７〜図１０のＰＣＣＳの参考値を厳密に示すものではなく、在る程度の許容値を設定してあらわしたものである。
例えば、図１中「ＦＬ−１」の明度は８．０を示しているのに対し、図９では「ＦＬ−１」のＰＣＣＳ参考値は「ｐ５」（明度８．５程度）となり、０．５程度の明度差が生じている。
つまり、図１の明度と図７〜図１０のＰＣＣＳ参考値に示される明度には、厳密に符合するものもあるが、幅をもって示されているものもある。
これは、厳密に符合させて表示させることもできるが、むしろ、特殊な色の各番号間における明度の上下関係を見やすく表し、使いやすく設定したものである。
【００２６】
以上、実施例を説明したが、本発明の具体的な構成は前記実施例に限定されるものではなく、発明の要旨を逸脱しない範囲の設計変更等があっても本発明に含まれる。
例えば、前記実施例で説明したトーン別明度差チャートをコンピュータの作図ソフト上で、カラーパレットとして使用することも可能である。つまり、ディスプレイ上で色相環を色付きで表示し、その色の上にポインタを合わせて色を指定し、作図・着色をすることも可能である。この場合、作図ソフトやハードウェアは周知のものを使用することができる。
【図面の簡単な説明】
【００２７】
【図１】本発明のトーン別明度差チャートである。
【図２】ＰＣＣＳ表色系の基本色を示す色相環である。
【図３】トーン別の明度と彩度を示す説明図である。
【図４】高彩度に属するトーンの明度を示す説明図である。
【図５】中彩度に属するトーンの明度を示す説明図である。
【図６】低彩度に属するトーンの明度を示す説明図である。
【図７】ピンクのＰＣＣＳ参考値を示す説明図である。
【図８】フレッシュのＰＣＣＳ参考値を示す説明図である。
【図９】ブラウンのＰＣＣＳ参考値を示す説明図である。
【図１０】オフニュートラルのＰＣＣＳ参考値を示す説明図である。
【図１】
2009115903.tif 000003
【図２】
2009115903.tif 000004
【図３】
2009115903.tif 000005
【図４】
2009115903.tif 000006
【図５】
2009115903.tif 000007
【図６】
2009115903.tif 000008
【図７】
2009115903.tif 000009
【図８】
2009115903.tif 000010
【図９】
2009115903.tif 000011
【図１０】
2009115903.tif 000012